【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
連続パケット接続(CPC)モードでハイブリッド自動再送/要求(HARQ)データを送信する方法であって、
CPCモードで不連続送信(DTX)サイクルに従ってネットワークにデータを送信するステップと、
前記DTXサイクルとは個別のHARQデータ送信のための1つまたは複数の送信機会を示すHARQ設定に従って、送信のためにスケジュールされた利用可能なHARQデータを検出することに少なくとも部分的に基づいて前記CPCモードを終了するステップと、
前記利用可能なHARQデータを送信するために設定された前記1つまたは複数の送信機会のうちの次の送信機会を決定するステップであり、前記次の送信機会が前記DTXサイクルによって定義された送信時間インスタンス内ではない、ステップと、
前記CPCモード外で前記次の送信機会の間に前記利用可能なHARQデータを送信するステップと
を含む方法。
【請求項２】
HARQ通信を送信するための1つまたは複数のサブフレームを示すHARQ設定を受信するステップをさらに含み、前記HARQデータを送信するために設定された前記次の送信機会を決定するステップが、前記HARQ設定における前記1つまたは複数のサブフレームに少なくとも部分的に基づく、請求項1に記載の方法。
【請求項３】
前記利用可能なHARQデータを送信するための前記次の送信機会を決定するステップが、送信のために前記利用可能なHARQデータを検出することに少なくとも部分的に基づく、請求項1に記載の方法。
【請求項４】
前記利用可能なHARQデータを検出するステップが、HARQバッファの中身またはサイズを検出することに少なくとも部分的に基づく、請求項3に記載の方法。
【請求項５】
前記利用可能なHARQデータの送信に基づき、前記CPCモードを再開するステップをさらに含む請求項1に記載の方法。
【請求項６】
連続パケット接続(CPC)モードでハイブリッド自動再送/要求(HARQ)データを送信するための装置であって、
CPCモードで不連続送信(DTX)サイクルに従ってネットワークにデータを送信するように構成された送信構成要素と、
前記DTXサイクルとは個別のHARQデータ送信のための1つまたは複数の送信機会を示すHARQ設定に従って、送信のためにスケジュールされた利用可能なHARQデータを検出することに少なくとも部分的に基づいて前記CPCモードを終了するように構成されたCPCモード設定構成要素と、
前記利用可能なHARQデータを送信するために設定された前記1つまたは複数の送信機会のうちの次の送信機会を決定するように構成されたHARQ送信スケジューリング構成要素であり、前記次の送信機会が前記DTXサイクルによって定義された送信時間インスタンス内ではない、HARQ送信スケジューリング構成要素と
を含み、前記送信構成要素が、前記CPCモード外で前記次の送信機会の間に前記利用可能なHARQデータを送信する
装置。
【請求項７】
HARQ通信を送信するための1つまたは複数のサブフレームを示すHARQ設定を受信するように構成されたHARQ設定構成要素をさらに含み、前記HARQ送信スケジューリング構成要素が、前記HARQ設定における前記1つまたは複数のサブフレームに少なくとも部分的に基づいて、前記HARQデータを送信するために設定された前記次の送信機会を決定する、請求項6に記載の装置。
【請求項８】
前記HARQ送信スケジューリング構成要素が、前記CPCモード設定構成要素が送信のために前記利用可能なHARQデータを検出することに少なくとも部分的に基づいて、前記利用可能なHARQデータを送信するための前記次の送信機会を決定する、請求項6に記載の装置。
【請求項９】
前記CPCモード設定構成要素が、HARQバッファの中身またはサイズを検出することに少なくとも部分的に基づいて、前記利用可能なHARQデータを検出する、請求項8に記載の装置。
【請求項１０】
前記CPCモード設定構成要素が、前記利用可能なHARQデータの送信に基づき前記CPCモードを再開する、請求項6に記載の装置。
【請求項１１】
連続パケット接続(CPC)モードでハイブリッド自動再送/要求(HARQ)データを送信するための装置であって、
CPCモードで不連続送信(DTX)サイクルに従ってネットワークにデータを送信するための手段と、
前記DTXサイクルとは個別のHARQデータ送信のための1つまたは複数の送信機会を示すHARQ設定に従って、送信のためにスケジュールされた利用可能なHARQデータを検出することに少なくとも部分的に基づいて前記CPCモードを終了するための手段と、
前記利用可能なHARQデータを送信するために設定された前記1つまたは複数の送信機会のうちの次の送信機会を決定するための手段であり、前記次の送信機会が前記DTXサイクルによって定義された送信時間インスタンス内ではない、手段と
を含み、送信するための前記手段が、前記CPCモード外で前記次の送信機会の間に前記利用可能なHARQデータを送信する
装置。
【請求項１２】
HARQ通信を送信するための1つまたは複数のサブフレームを示すHARQ設定を受信するための手段をさらに含み、決定するための前記手段が、前記HARQ設定における前記1つまたは複数のサブフレームに少なくとも部分的に基づいて、前記HARQデータを送信するために設定された前記次の送信機会を決定する、請求項11に記載の装置。
【請求項１３】
決定するための前記手段が、前記CPCモードを終了するための前記手段が送信のために前記利用可能なHARQデータを検出することに少なくとも部分的に基づいて、前記利用可能なHARQデータを送信するための前記次の送信機会を決定する、請求項11に記載の装置。
【請求項１４】
前記CPCモードを終了するための前記手段が、HARQバッファの中身またはサイズを検出することに少なくとも部分的に基づいて、前記利用可能なHARQデータを検出する、請求項13に記載の装置。
【請求項１５】
前記CPCモードを終了するための前記手段が、前記利用可能なHARQデータの送信に基づき前記CPCモードを再開する、請求項11に記載の装置。
【請求項１６】
連続パケット接続(CPC)モードでハイブリッド自動再送/要求(HARQ)データを送信するためのコンピュータ実行可能コードを記憶するコンピュータ可読記憶媒体であって、
CPCモードで不連続送信(DTX)サイクルに従ってネットワークにデータを送信するためのコードと、
前記DTXサイクルとは個別のHARQデータ送信のための1つまたは複数の送信機会を示すHARQ設定に従って、送信のためにスケジュールされた利用可能なHARQデータを検出することに少なくとも部分的に基づいて前記CPCモードを終了するためのコードと、
前記利用可能なHARQデータを送信するために設定された前記1つまたは複数の送信機会のうちの次の送信機会を決定するためのコードであり、前記次の送信機会が前記DTXサイクルによって定義された送信時間インスタンス内ではない、コードと、
前記CPCモード外で前記次の送信機会の間に前記利用可能なHARQデータを送信するためのコードと
を含む、コンピュータ可読記憶媒体。
【請求項１７】
前記コンピュータ実行可能コードが、HARQ通信を送信するための1つまたは複数のサブフレームを示すHARQ設定を受信するためのコードをさらに含み、決定するための前記コードが、前記HARQ設定における前記1つまたは複数のサブフレームに少なくとも部分的に基づいて、前記HARQデータを送信するために設定された前記次の送信機会を決定する、請求項16に記載のコンピュータ可読記憶媒体。
【請求項１８】
決定するための前記コードが、前記CPCモードを終了するための手段が送信のために前記利用可能なHARQデータを検出することに少なくとも部分的に基づいて、前記利用可能なHARQデータを送信するための前記次の送信機会を決定する、請求項16に記載のコンピュータ可読記憶媒体。
【請求項１９】
前記CPCモードを終了するための前記コードが、HARQバッファの中身またはサイズを検出することに少なくとも部分的に基づいて、前記利用可能なHARQデータを検出する、請求項18に記載のコンピュータ可読記憶媒体。
【請求項２０】
前記CPCモードを終了するための前記コードが、前記利用可能なHARQデータの送信に基づき前記CPCモードを再開する、請求項16に記載のコンピュータ可読記憶媒体。